(57)【要約】      （修正有）【課題】日常使用している水道の使用方法の改善案である。給水配管の送水圧力を利用して水力発電を行う。使用者側の使用方法も個人で使用する場合は蛇口にて水量の調整を行う事が出来るがビル、マンション等では、貯水槽給水方式であり、水槽内に不足分を機械的に補給する為使用量に対して適正な調節が行われていない。上記のような使用方法だと、水道本管の極端な圧力変動を生み、水の出の悪い所が出てきてしまう為常に高い圧力を維持しなければならい、搬送用ポンプの稼働率も高くなる。【解決手段】従来の給水設備に発電装置を装設し、水道を水と搬送動力に分けて使用する事で搬送動力，時間を電気に変換し再使用する。これにより、給水配管内の極端な圧力変動の低減、使用量に合った補給水を行い水槽の水質の劣化防止する事が出来また、個別水力発電による省エネ並びに、ＣＯ２の削減も考えられる。【選択図】図２
2015038318.tif 000002
【特許請求の範囲】
【請求項１】
給水管の送水圧力を利用した水力発電による、エネルギーの再利用を目的とした水力発電設備及び工法である。
【請求項２】
給水管の送水圧力を利用した水力発電装置。
【発明の詳細な説明】
【技術分野】
【０００１】本発明は、給水配管の送水圧力による水力発電方法に、関するものである。
【背景技術】
【０００２】  日常使われている水道は、浄水場よりポンプにて各ヵ所に水道管にて配送されている直結給水方式と一度、受水槽に水を貯めてポンプにて各所に配送されている貯水槽給水方式がある。【０００３】  図１において在来、貯水槽給水方式の説明する。
図において給水本管２６より給水メータ２５を通り受水槽１９に貯水し、ポンプ３３にて各テナント３４内の給水メーター２５を通り、各使用者に供給されている。
【発明の概要】
【発明が解決しようとする課題】
【０００４】  日常使用している水道は使用者側にて、蛇口の開放し使用する。
また受水槽１９内に貯水し、ポンプ３３にて各利用者に供給するだけのものであった。
水道を水と搬送動力と分けて考える事で解放されて失ってしまっていた、搬送エネルギーを発電機１１を設置する事で電気エネルギーとし回収し再利用することを目的とした方法である。
【課題を解決するための手段】
【０００５】  上述したように、本発明は今まで開放し失ってしまったポンプの搬送動力エネルギーを発電機により回収し再利用するものである。【０００６】  課題解決手段としては、２通りの方法があります。
図１在来の受水槽１９廻りの配管３１，３２の場所に設置する方法と、室内３４の給水メーター２５以降の配管３５に設置する方法がある。【０００７】  新設  発電装置設置予定場所３１に設置した場合の課題解決手段の作用は、次の通りである。
共用部の廊下や外灯などの照明等に使用することが出来る。【０００８】  図２，３にて、説明する。
在来の給水配管▲１▼より送水された給水を受水槽▲１９▼に貯水する。
この時、受水槽▲１９▼迄の搬送動力を利用し発電装置図５にて発電を行う。【０００９】  図５について、説明する。
配管接続口▲２▼以降に装設する。
発電装置図５の構成は、圧力計▲３▼，圧力調整用バルブ▲４▼，流量調整バルブ▲５▼通過し発電機▲１１▼の水車を回すことで発電し、電源盤▲１０▼に蓄電を行う。
個々建物の使用状況に合せて、受水槽▲１９▼内の有効水量▲１３▼を確認しながら、バルブ▲４▼，▲５▼，▲６▼の調整を行う。【００１０】  室内３４の給水メーター２５以降に設置した場合の課題解決手段の作用は、次の通りである。
給水の使用量に応じて、個別に発電した電気を使用することが出来る。
図３について、説明する。
在来、給水配管▲１▼より個別供給されテナント３４給水メーター２５以降に、発電機▲１１▼を装設し水車を回し発電し電源盤▲１０▼に蓄電を行う。
【発明の効果】
【００１１】  本発明は、今まで開放する事で失ってしまった、ポンプの搬送動力エネルギーを発電機により回収し再利用することで、下記のような効果が得られると考えられます。【００１２】  図２のように発電装置図５を設置し、１日当たりの給水の使用量に合せてバルブ▲４▼，▲５▼，▲６▼にて吐水量を調整し給水している時間を長く取ることによって、発電している時間を長く取るように調整する。
また吐水量の調整をすることで、１次側の給水配管の極端な圧力変動を抑えること出来１次側の水道用ポンプの搬送動力の低減が考えられる。【００１３】  上述したように、給水時間を長く取ることによって受水槽１９内の水の循環を良くし水質劣化の防止し受水槽１９内の菌繁殖の抑制が見込める。【００１４】  上述したように、発電を行う事により各建物別にエネルギーの再利用が可能になり電気使用量，ＣＯ２の低減が見込める。
【図面の簡単な説明】
【００１５】
【図１】は、在来貯水槽給水設備の概要並びに発電設備の設置可能場所を示しています。
【図２】は、在来設備の受水槽内に発電装置を設置した平面図です。
【図３】は、在来設備の給水配管に発電装置を設置した断面図です。
【図４】は、在来室内テナント内に設置する場合の発電装置廻りの詳細図です。
【図５】は、在来受水槽▲１９▼内に設置する発電装置の詳細図です。
【発明を実施するための形態】
【００１６】  以下、本発明の実施の形態を図２〜４に基ずいて説明する。
【００１７】  図２において、在来の給水配管▲１▼が受水槽▲１９▼の配管接続口▲２▼に接続されている。
【００１８】  受水槽▲１９▼の配管接続口▲２▼以降に発電機装置図５を装設する。
【００１９】  図３においては、受水槽１９より給水ポンプ３３にて各テナント３４供給され個別給水メーター２５，バルブ２４以降に新規に発電機▲１１▼を装設し発電を行い、電源盤▲１０▼に蓄電される。
【００２０】以下、上記構成の動作説明する。
図１、給水本管２６より給水メータ２５を通り受水槽１９に送水され、受水槽１９内の発電装置図４を通過し貯水する事で発電機▲１１▼内の水車を回し、発電を行い電源盤▲１０▼に蓄電する。
【００２１】  また、受水槽▲１９▼に貯水された水を給水ポンプ３３にて各テナント３４に供給する。
この時のポンプの搬送動力を利用して図３の個別給水メーター２５、バルブ２４以降に設置された発電機▲１１▼内の水車を回す事で発電を行い発電盤▲１０▼に蓄電する。
【産業上の利用可能性】
【００２２】  上述したように、本発明の発電をする事で、今まで使用されていなかったエネルギーの再利用が出来電気使用量の低減に伴うＣｏ２の低減も考えられる。
また、発電効率を考えると受水槽内の有効水量並びに、１日の使用量の調査を行い吐水量の調整を行う事で、長時間の発電が可能となり、また使用量に合せた貯水量とする事で、水槽内の水質劣化菌の繁殖の抑制にも効果があると考えられる。
上述したように、ＣＯ２の低減又は、発電による電気使用量の低減、並びに衛生的な給水を提供できる。
【符号の説明】
【００２３】▲１▼  在来設備  給水配管
▲２▼  在来設備  水槽接続口
▲３▼  新設  圧力ゲージ
▲４▼  新設  調整バルブ
▲５▼  新設  流量調整バルブ
▲６▼  新設  調整バルブ
▲７▼  ボールタップ
▲８▼  新設  電線
▲９▼  在来  電極端子
▲１０▼  新設  電源盤
▲１１▼  新設  水力発電機
▲１２▼  新設  電線（負荷側へ）
▲１３▼  水槽内（有効水位）
▲１４▼  給水送水口（水出口）
▲１５▼  給水ポンプ停止範囲（水位）
▲１７▼  新設配管支持部材
▲１８▼  新設配管
▲１９▼  在来  水槽（パネル）
▲２０▼  在来水槽組立ボルト
２１  配管支持部材
２２  ナット
２３  在来水槽組立ナット
２４  在来  バルブ
２５  在来  水道メーター
２６  水道本管
２８  道路部
２９  宅地部
３０  水道局  漏水対応範囲
３１  新設  発電装置、設置予定場所
３２  新設  発電装置、設置予定場所
３３  在来  給水ポンプ
３４  室内テナント
３５  新設  発電機設置予定場所
【図１】
2015038318.tif 000003
【図２】
2015038318.tif 000004
【図３】
2015038318.tif 000005
【図４】
2015038318.tif 000006
【図５】
2015038318.tif 000007
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
各建物別に、給水量を使用量に合わせて、流量調整供給し受水槽内の水質の劣化の改善、送水ポンプの搬送動力の低減を特徴とした水力発電設備である。
【請求項２】
受水槽廻りに設置する事を特徴としている水力発電装置である。
【請求項３】
各テナント内設置、給水メーター以降に設置する事を特徴としている水力発電設備である。
【請求項４】
搬送動力の低減、水力発電による温室効果ガスの低減を特徴としている水力発電設備である
【請求項５】
建物別に給水量を合わせて、流量圧力調整を行う事を特徴としている水力発電設備である。
【請求項６】
建物別に給水量を合わせて、蓄電並びに電気の再利用を特徴としている水力発電設備である